(57)【要約】【課題】  従来保護シートの画像は独立に単一の絵柄を構成しており、意外性に乏しいものであった。【解決手段】  本発明は、画像受信機器表示画面の保護シートに表示されたシート画像と、画像受信機器へ取り込んで表示画面へ表示する取込画像とが合わさることによって一体の表象を構成して表示画面を装飾する表示画面装飾システムを提供する。【選択図】  図４
2010056719.tif 000002
【特許請求の範囲】
【請求項１】
表示画面を備え、双方向通信回線に接続された画像受信機器と、
該画像受信機器の前記表示画面に表示させる取込画像を記憶しており、前記双方向通信回線に接続された情報記憶装置と、
前記情報記憶装置に記憶された前記取込画像を特定する画像特定コードと、
前記画像受信機器の前記表示画面に貼り付けて使用され前記表示画面を装飾するシート画像が描画された保護シートとからなり、
前記保護シートには前記画像特定コードが付属されるとともに、前記保護シートに表された前記シート画像と、前記画像特定コードによって接続し、双方向通信回線を介して前記情報記憶装置から画像受信機器に取り込まれた前記取込画像とが一体の表象を構成する
ことを特徴とする表示画面装飾システム。
【発明の詳細な説明】
【技術分野】
【０００１】
本発明は、画像受信機器の表示画面を装飾する表示画面装飾システムに関する。
【背景技術】
【０００２】
近年、携帯電話等の画像受信機器に備えられた表示画面上に保護シートを貼り付け、画面を傷などから保護する技術が用いられている。さらに、画像受信機器の使用者は、保護シートの一部分、周縁部又は全体に画像（以下、シート画像という）が描画されたものから自己の好みに合ったものを選択し、自己の使用する画像受信機器の表示画面を覆って貼り付け装飾することにより、個性が発揮できることを楽しむことができる。
【０００３】
【特許文献１】特開２００４−１１７８８０
【発明の開示】
【発明が解決しようとする課題】
【０００４】
しかし、従来保護シートの画像は独立に単一の絵柄を構成しており、意外性に乏しいものであった。
【０００５】
本発明は、画像受信機器表示画面の保護シートに表示されたシート画像と、画像受信機器へ取り込んで表示画面へ表示する取込画像とが合わさることによって一体の表象を構成して表示画面を装飾する表示画面装飾システムの提供を目的とする。
【課題を解決するための手段】
【０００６】
本出願に係る表示画面装飾システムは、表示画面を備え、双方向通信回線に接続された画像受信機器と、該画像受信機器の前記表示画面に表示させる取込画像を記憶しており、前記双方向通信回線に接続された情報記憶装置と、前記情報記憶装置に記憶された前記取込画像を特定する画像特定コードと、前記画像受信機器の前記表示画面に貼り付けて使用され前記表示画面を装飾するシート画像が描画された保護シートとからなり、前記保護シートには前記画像特定コードが付属されるとともに、前記保護シートに表された前記シート画像と、前記画像特定コードによって接続し、双方向通信回線を介して前記情報記憶装置から画像受信機器に取り込まれた前記取込画像とが一体の表象を構成することを特徴とする。
【０００７】
画像受信機器は、画像データを表示できる表示画面を備えており、しかも、インターネットなどの双方向通信回線に接続して双方向通信回線上に存在する情報記憶装置から画像データを取り込み、該画像データに基づいた画像を表示画面上に表示する機能を有する情報端末機である。画像受信機器は、デスクトップコンピュータやテレビ等も含むものであるが、好ましくは携帯電話、携帯ゲーム機、携帯テレビまたは携帯コンピュータ等の、携帯して利用できるものであることが望ましい。
【０００８】
取込画像は、情報記憶装置に記憶されている画像データであって、該画像データを当該情報記憶装置から画像受信機器に取り込むことにより、動物、植物、キャラクター、風景、人物、楽器、乗物、創作画像等、又はこれらを組合せたものが表された静止画像又は動画が、画像受信機器の表示画面上に表示されるものであることが好ましい。
【０００９】
情報記憶装置は、双方向通信回線上に接続されたサーバー等のコンピュータである。情報記憶装置にはハードディスク、メモリ、または光記録ディクス等の情報記憶媒体が備えられており、当該情報記憶媒体には取込画像を構成する画像データが記憶されている。情報記憶装置は双方向通信回線を介して画像受信機器と接続されると、画像受信機器の操作命令に従って画像データを画像受信機器に送信することができる機能を有する。
【００１０】
画像特定コードはＱＲコードに代表される２次元コードや、バーコードに代表される１次元コードまたはウェブアドレスを表した符号であり、画像特定コードが有する情報を、光学読取手段、磁気的読取手段または画像特定コードの直接入力により画像受信機器に認識させることで、画像受信機器が情報記憶装置から取り込むべき画像データを特定することができる。
【００１１】
また、情報記憶装置には企業のホームページが構築されていてもよい。この場合、画像特定コードを認識した画像受信機器の表示画面には前記ホームページが表示され、利用者は前記ホームページ中に示された取込画像に関する指示表示等に従って画像受信機器を操作することによって、取込画像を情報記憶装置から画像受信機器に取り込むことができることが好ましい。
【００１２】
シート画像と取込画像が構成する一体の表象は、シート画像が描画されている領域内もしくは周辺部分に取込画像を表示して見たときに、例えばシート画像が一つの画像の一部分を示しており、取込画像が他の部分を示している場合のように、両画像が合わさることによって完成された画像を形成することが好ましい。また、他の好ましい例としては、シート画像が海と空を示す背景、取込画像が魚である場合のように、独立した二つ画像に関連性があり、両画像が合わさることによって海を泳ぐ魚のような一つの画像を形成することとしてもよい。
【００１３】
また、取込画像を構成する画像データ中には音楽データも含まれていてもよい。該音楽データは、取込画像が画像受信機器に取り込まれた際に再生可能な状態となり、前記音楽データを再生すると取込画像及びシート画像による装飾効果が高められ、これらの画像と共に全体を一体とした表象を形成することが好ましい。
【００１４】
保護シートは薄膜形成された樹脂よりなり、画像受信機器の表示画面に貼り付けて使用することができる。保護シートは画像受信機器の表示画面に対応した領域にのみ取付けられている必要はなく、画像受信機器の画面よりも大きい領域を覆うように取付けられていても良い。保護シートの一部分、周縁部又は全体には、動物、植物、キャラクター、風景、人物、楽器、乗物、創作画像等、又はこれらを組合せたものが表されたシート画像が描画されていることが好ましい。
【００１５】
保護シートは、低粘着性の粘着層が画像受信機器の表示画面との接着面に設けられていることが好ましく、画像受信機器の表示画面上に着脱可能に取付けることができることが好ましい。保護シートが着脱可能に取付けられることによって保護シートを容易に付け替えることができ、本願に係る表示画面装飾システムの利用者は、その時々の気分に合ったシート画像が表示された保護シートを選択することができる。
【００１６】
画像特定コードは保護シートに付属しており、保護シート上に直接画像特定コードが表示されていてもよく、より好ましくは保護シート専用の商品パッケージに表示されていることがよい。また、保護シートに付属された画像特定コードは一つである必要はなく、複数付属されていても良い。
【００１７】
なお、画像受信機器には、取込画像を拡大縮小処理、上下左右移動処理、又はトリミング処理し、取込画像とシート画像とが境界部分で連続した画像となるような画像調整機能が備わっていることが好ましい。
【発明の効果】
【００１８】
シート画像と取込画像が合わさって一体の画像情報を構成する本発明を利用することによって、画像受信機器の表示画面領域およびその周辺部領域全体を一体とした表象によって装飾することが出来る。
【００１９】
画像特定コードを保護シートに付属させることによって、シート画像と一体の表象を構成する取込画像を双方向通信回線上の情報記憶装置から取り違えることなく迅速に取得することができ、利用者の気分に合わせて素早く装飾を完成させることができる。
【００２０】
保護シートに表示されたシート画像は、本願表示画面装飾システムに係る装飾の一部を形成するので、取込画像を取得して前記装飾を完成させようとする利用者の収集意欲を刺激することにより保護シートの販売促進を実現することができる。
【発明を実施するための最良の形態】
【００２１】
以下、本発明の表示画面装飾システムＳについて、実施例に基づきさらに詳細に説明する。なお、本実施例においては画像受信機器として携帯電話機１１を用いた場合について説明する。当該携帯電話機１１には図１に示すように表面側に表示画面１２、裏面側に撮像部１４が備えられている。
【００２２】
図２は保護シート２１の販売形態を示す図である。保護シート２１は商品パッケージ２２と共に販売されており、商品パッケージ２２にはＱＲコード２３が表示されている。なお、ＱＲコード２３は商品パッケージ２２の任意の場所に表示されていてよい。
【００２３】
保護シート２１は携帯電話機１１の表示画面１２および表示画面周辺部１３を覆う大きさを有しており、保護シート２１表面には例えば無人島と太陽と海と青空を表した風景の画像（以下、シート画像Ａという）が描画されている。保護シート２１の裏面には保護シートを携帯電話機の表示画面に貼り付けるための粘着層２４が設けられている。該粘着層２４は保護シート２１を表示画面１２に貼り付けた後に剥がすことができる程度の粘着力を有する。
【００２４】
利用者は、購入した保護シート２１を図３に示すように携帯電話機１１の表示画面１２に貼り付け、保護シート２１に表示されたシート画像Ａで表示画面周辺部１３を装飾する。
【００２５】
一方で、利用者は携帯電話機１１にＱＲコード２３に含まれる情報からインターネットを介して、例えばかもめとクジラと海と青空を表した画像（以下、取込画像Ｂという）を情報記憶装置から取り込み、携帯電話機１１の表示画面１２に取込画像Ｂを表示させる。
図４に示すように、シート画像Ａと取込画像Ｂは一体の表象を構成するため、携帯電話機の表示画面１２および表示画面周辺部１３が、無人島と太陽と海と青空からなる風景にかもめが飛び、クジラが泳いでいる一つの完成された画像Ｃとして装飾される。
【００２６】
ここで、携帯電話機１１の表示画面１２に取込画像Ｂを取り込み表示するまでの手段を図５に示しながら説明する。
保護シート２１を購入した利用者は、保護シート２１の商品パッケージ２２に表示されたＱＲコード２３に含まれる情報Ｉを携帯電話機１１に撮像部１４を用いて読み取らせる。情報Ｉには、携帯電話１１がインターネットＮを介して情報記憶装置Ｍ内の所定の画像データを特定することができる情報が含まれている。ＱＲコード２３に含まれる情報Ｉを読み取った携帯電話機１１は、続けてインターネットＮを介して情報記憶装置Ｍに接続される。
【００２７】
情報記憶装置Ｍには情報記憶部ｍが備えられており、情報記憶部ｍにはＱＲコード２３の情報に対応した画像データ特定できるような対応情報が予め記憶されている。例えば、携帯電話機１１がＱＲコード２３から情報Ｉを読み取った場合には画像データｉが特定され、情報ＩＩを読み取った場合には画像データｉｉが特定されるといった具合に、あるＱＲコード２３の情報を読み取ると対応する画像データを取り違えることなく取得することができる。
情報Ｉと対応する画像データｉが特定されると、図には示さないが携帯電話機１１の表示画面１２上に画像データｉの取り込みを許可するか否かの選択肢が表示される。
【００２８】
利用者が携帯電話機１１を操作して画像データｉの取り込みを許可すると、取り込み許可の信号が情報記憶装置Ｍに送信され、該信号を受信した情報記憶装置Ｍが携帯電話機１１に対し画像データｉを送信し、携帯電話機１１内に画像データｉが取り込まれる。
【００２９】
なお、画像データｉの特定は前記ＱＲコード２３の情報Ｉの読み取りにより自動的に行われることが好ましい。但し、図示はしないが、ＱＲコード２３の情報Ｉの読み取りによって保護シート２１の販売企業のホームページへ接続され、利用者が該ホームページに表示された指示に従って画像データｉを特定できるように構成されていてもよい。
【００３０】
利用者は取り込んだ画像データｉを携帯電話機１１で動作させ、取込画像Ｂを表示画面１２上に表示することにより、シート画像Ａと一体の画像Ｃを完成し、携帯電話機１１を装飾することができる。
【図面の簡単な説明】
【００３１】
【図１】本実施形態にかかる携帯電話機１１の構成図である。
【図２】本実施形態にかかる保護シート２１の構成図である。
【図３】本実施形態にかかる携帯電話機１１に保護シート２１を貼り付けた状態の構成図である。
【図４】本実施形態にかかる携帯電話機１１に保護シート２１を貼り付け、表示画面上に取込画像Ｂを表示した状態の構成図である。
【図５】携帯電話機１１の表示画面１２に取込画像Ｂを取り込み表示するまでの手段を示すブロック図である。
【符号の説明】
【００３２】
１１  携帯電話機
１２  表示画面
１３  表示画面周辺部
１４  撮像部
２１  保護シート
２２  商品パッケージ
２３  ＱＲコード
Ｓ    情報提供システム
Ａ    シート画像
Ｂ    取込画像
ｉ    画像データ
Ｍ    情報記憶装置
【図１】
2010056719.tif 000003
【図２】
2010056719.tif 000004
【図３】
2010056719.tif 000005
【図４】
2010056719.tif 000006
【図５】
2010056719.tif 000007